(57)【要約】【課題】連結片の結合部が露出して見映えが悪くなることなく、また、従来構成に比べてルーバ片の強度を向上させることができ、ルーバの品質の安定した照明器具を提供する。【解決手段】ルーバ４は、器具本体の開口部に沿う面内で互いに対向する一対の側板１２を有した支持枠１４と、支持枠１４内で側板１２に沿う方向に並設された複数枚のルーバ片１５を有したルーバ本体１６とを備える。ルーバ本体１６は、複数枚のルーバ片１５における各側板１２に対向する端部同士が帯状の連結片１７で連結される形に各ルーバ片１５がそれぞれ切り起こしによって形成されており、支持枠１４は、一対の側板１２から互いに近づく向きに突出し連結片１７におけるランプとは反対側の一面をルーバ片１５に連結された結合部１７aを含めて覆うカバー部２０を有する。カバー部２０には、各ルーバ片１５がそれぞれ差し込まれる複数本のスリット２１が形成されている。【選択図】図１
2008098109.tif 000002
【特許請求の範囲】
【請求項１】
ランプを保持するソケットを有し一面に矩形状に開口した開口部からランプの光を出射させる器具本体と、器具本体の開口部に沿って配設されランプからの光の配光を制御するルーバとを備え、ルーバは、器具本体の開口部に沿う面内で互いに対向する一対の側板と両側板の各端部同士を連結するルーバエンドとで矩形枠状に形成された支持枠と、支持枠内に配置され前記側板に沿う方向に並ぶように所定間隔で並設された複数枚のルーバ片を有するルーバ本体とを備え、ルーバ本体は、複数枚のルーバ片における各側板に対向する端部同士が帯状の連結片で連結される形に各ルーバ片がそれぞれ切り起こしによって形成されており、支持枠は、一対の側板から互いに近づく向きに突出し前記連結片におけるランプとは反対側の一面を前記ルーバ片に連結された結合部を含めて覆うカバー部を有し、カバー部には、各ルーバ片がそれぞれ差し込まれる複数本のスリットが形成されていることを特徴とする照明器具。
【発明の詳細な説明】
【技術分野】
【０００１】
本発明は、ランプからの光の配光を制御するルーバを備えた照明器具に関するものである。
【背景技術】
【０００２】
従来から、この種の照明器具として、ランプを保持するソケットを有し一面に矩形状に開口した開口部からランプの光を出射させる器具本体と、器具本体の開口部に沿って配設されるルーバとを備えたものが提供されている。
【０００３】
ルーバは、器具本体の開口部に沿う面内で互いに対向する一対の側片を有し、側片に沿う方向に並ぶように所定間隔で複数枚のルーバ片が並設されて構成される。各ルーバ片はそれぞれ両側片の間に架設されることにより、側片に対して固定される（たとえば特許文献１参照）。
【０００４】
ところで、上述した構成のルーバでは、組立時に複数枚のルーバ片を側片に対して１枚ずつ取り付ける必要があるので、組立作業性がよくない。そこで、ルーバの組立作業性を向上させるために、１枚の板状の部材から各ルーバ片をそれぞれ切り起こしによって形成し、ルーバ片の並ぶ方向に沿う両側方にルーバ片の端部同士を連結する帯状の連結片を残しておくことにより、複数枚のルーバ片を１つの部品として取り扱えるようにすることが考えられている（図１０参照）。
【特許文献１】特開平４−１３３２０５号公報（第２頁）
【発明の開示】
【発明が解決しようとする課題】
【０００５】
しかしながら、ルーバ片を切り起こしにより形成した場合には、連結片のうちルーバ片に連結された結合部が露出して照明器具の外側から見えることによって、照明器具の見映えが悪くなるという問題がある。
【０００６】
また、ルーバ片は両端部が連結片に結合されているだけであるから、器具本体への着脱時などに外力が加わっても変形しない程度にルーバ片の強度を確保することは困難である。ここで、ルーバを構成する部材の厚み寸法を増すことによりルーバ片の強度を向上させることも考えられるが、この場合にはルーバ片の厚み寸法が大きくなり照明器具の見映えが悪くなる。
【０００７】
さらに、切り起こしで形成されたルーバ片の位置（切り起こしの角度）を安定させることは困難であり、ルーバの品質が安定しないという問題がある。
【０００８】
本発明は上記事由に鑑みて為されたものであって、ルーバ片を切り起こしにより形成しながらも、連結片の結合部が露出して見映えが悪くなることなく、また、従来構成に比べてルーバ片の強度を向上させることができ、さらに、ルーバの品質の安定した照明器具を提供することを目的とする。
【課題を解決するための手段】
【０００９】
請求項１の発明では、ランプを保持するソケットを有し一面に矩形状に開口した開口部からランプの光を出射させる器具本体と、器具本体の開口部に沿って配設されランプからの光の配光を制御するルーバとを備え、ルーバは、器具本体の開口部に沿う面内で互いに対向する一対の側板と両側板の各端部同士を連結するルーバエンドとで矩形枠状に形成された支持枠と、支持枠内に配置され前記側板に沿う方向に並ぶように所定間隔で並設された複数枚のルーバ片を有するルーバ本体とを備え、ルーバ本体は、複数枚のルーバ片における各側板に対向する端部同士が帯状の連結片で連結される形に各ルーバ片がそれぞれ切り起こしによって形成されており、支持枠は、一対の側板から互いに近づく向きに突出し前記連結片におけるランプとは反対側の一面を前記ルーバ片に連結された結合部を含めて覆うカバー部を有し、カバー部には、各ルーバ片がそれぞれ差し込まれる複数本のスリットが形成されていることを特徴とする。
【００１０】
この構成によれば、ルーバ片を切り起こしにより形成しながらも、ルーバが支持枠を備え、支持枠における一対の側板から互いに近づく向きに突出したカバー部によって、連結片におけるランプとは反対側の一面が覆われるので、結合部が露出して照明器具の見映えが悪くなることはない。また、各ルーバ片は、カバー部に形成された複数本のスリットにそれぞれ差し込まれるので、外力が加わってもカバー部によって変形が防止され、両端部が連結片に結合されているだけの従来構成に比べて強度が向上することになる。さらに、ルーバ片はスリットに差し込まれることにより位置決めされるので、ルーバの品質が安定するという利点がある。
【発明の効果】
【００１１】
本発明は、ルーバ片を切り起こしにより形成しながらも、カバー部を設けたことにより、連結片の結合部が露出して照明器具の見映えが悪くなることがなく、また、カバー部に設けた複数本のスリットに各ルーバ片がそれぞれ差し込まれることによって、従来構成に比べてルーバ片の強度が向上し、さらにルーバの品質が安定するという利点がある。
【発明を実施するための最良の形態】
【００１２】
（実施形態１）
本実施形態の照明器具１は天井に取り付けられるものであって、図２に示すように、下面に矩形状の開口部２が形成された器具本体３と、器具本体３に取り付けられるルーバ４とを備えている。器具本体３にはランプ５（ここでは直管蛍光ランプ）を保持するソケット６（図１２参照）が収納され、ルーバ４は、器具本体３の開口部２に沿うようにランプ５の下方に配置されランプ５からの光の配光を制御する。本実施形態のルーバ４は、照明器具１の下方からランプ５が直視されることを防止するものであって、開口部２に沿う面内でランプ５の長手方向に直交する幅方向の寸法が開口部２よりも小さく設定されている。
【００１３】
図２に示す器具本体３は、幅方向の中央部の高さ寸法を最大とするように上壁が湾曲した蒲鉾状に形成されており、幅方向の中央部にランプ５が１本装着される。そのため、ルーバ４は、器具本体３の幅方向の中央部に配置される。器具本体３は、天井を構成する天井材８（たとえば天井パネル）に開口された取付穴９に上部を挿入した形で設置される（図６参照）。ここに、器具本体３は、開口部２（下面）を囲む矩形枠状のフレーム１０が形成されており、当該フレーム１０の上面を天井材８における取付穴９の周囲に当接させることにより取付穴８の開口周縁をフレーム１０で覆っている。器具本体３における上壁７および長手方向の両端板１１は反射板として機能し、ランプ５から上方あるいは側方に出射された光を下方に向けて反射する。なお、本実施形態の器具本体３は金属製である。
【００１４】
以下に、ルーバ４の構成について説明する。ルーバ４は、図２に示すように、器具本体３の開口部２に沿う面内で互いに対向する一対の側板１２と両側板１２の各端部同士を連結するルーバエンド１３（図８参照）とで矩形枠状に形成された支持枠１４と、支持枠１４内に配置され側板１２に沿う方向に並ぶように所定間隔で並設された複数枚（ここでは２８枚）のルーバ片１５を有するルーバ本体１６とを備えている。本実施形態のルーバ４は、ルーバ片１５の並ぶ方向に長く形成されている。
【００１５】
ルーバ本体１６は、図３に示すように、複数枚のルーバ片１６における各側板１２に対向する端部同士が帯状の連結片１７で連結される形に１枚の金属板から各ルーバ片１５がそれぞれ切り起こしによって形成されている。つまり、各ルーバ片１５は、それぞれ一対の連結片１７間に架設される形で両端部が連結片１７に連続一体に連結されている。ここに、ランプ５からの光は、両連結片１７の間であってルーバ片１５とルーバ片１５との間を通して器具本体３の開口部２から出射される。ここでは、ルーバ片１５は連結片１７からランプ５とは反対側、つまり下側に切り起こされている。
【００１６】
一対の連結片１７は互いに対向しており、下端縁から互いに近づく向きに突出した２個１組の結合部１７ａが各ルーバ片１５とそれぞれ連結されている。このように複数枚のルーバ片１５を連結片１７で連続一体に連結した構成を採用することによって、複数枚のルーバ片１５が別体である場合に比べて、ルーバ４を組み立てる際に取り扱う部品点数が大幅に減少し組立作業性が向上する。なお、一対の連結片１７の上部からは互いに離れる向きに後述の取付部１８が延出されている。
【００１７】
支持枠１４は、金属板からなり、内側にルーバ本体１６が嵌め込まれるように寸法が設定されている。支持枠１４を構成する一対の側板１２は互いに対向しており、上端縁からは図４に示すように先端部が下方に屈曲された断面Ｌ字状の係止片１９が互いに近づく向きに延出されている。ここに、一対の係止片１９の間の間隔は、ルーバ本体１６における取付部１８以外の部分が通る大きさに設定されており、ルーバ本体１６を図４のように支持枠１４と組み合わせた状態では、取付部１８が係止片１９上に重なる形でルーバ本体１６と支持枠１４とが嵌合する。
【００１８】
ここにおいて、一対の側板１２の各下端縁からは、支持枠１４に組み合わされたルーバ本体１６の連結片１７の下面を覆い隠すカバー部２０が、互いに近づく向きに延出されている。ここでは一対のカバー部２０は、下方ほど間隔が広くなるように斜め上方に延出されている。各カバー部２０の先端部には図１に示すように複数本のスリット２１が形成されている。スリット２１は、ルーバ本体１６のルーバ片１５が差し込まれるものであって、ルーバ片１５の厚み寸法よりもやや大きい幅寸法に形成されるとともに、ルーバ片１５と同じ間隔で形成されている。すなわち、ルーバ本体１６は、ルーバ片１５のみがスリット２１を通してカバー部２０の下面側に突出し、連結片１７がカバー部２０の上方に収まることになる。
【００１９】
この構成によれば、照明器具１の外側からルーバ４を見ても、ルーバ本体１６における連結片１７の結合部１７aはカバー部２０に隠れて見えないので、ルーバ４の見映えがよいという利点がある。また、ルーバ片１５は、カバー部２０のスリット２１に差し込まれるので、外力が加わってもカバー部２０によって変形が防止され、厚み方向の強度を確保することができる。しかも、ルーバ片１５はスリット２１に差し込まれることにより位置決めされるので、ルーバ４の品質が安定する。
【００２０】
また、スリット２１は、図５（ａ）に示すように幅寸法をカバー部２０の先端側ほど広くする案内用のテーパ２１ａを開口端部に形勢することによって、ルーバ片１５を差し込みやすくしてある。ただし、スリット２１の形状は図５（ａ）の例に限るものではなく、たとえば図５（ｂ）のようにテーパ２１ａに代えて案内用のアール２１ｂを形成してもよい。あるいは、図５（ｃ）に示すように、スリット２１の全長に亘って一定の幅寸法を採用してもよく、この場合には、スリット２１にルーバ片１５を差し込んだ状態でカバー部２０とルーバ片１５との間の隙間が小さくなるので、照明器具１の見映えがさらによくなる。
【００２１】
次に、上述したルーバ４を器具本体３に取り付ける構成について説明する。
【００２２】
ルーバ４の長手方向の寸法は、器具本体３の開口部２の長手方向の寸法と略同じ大きさに設定されており、そのため、ルーバ４を器具本体３内に配置した状態で、ルーバ４の長手方向の両端面は器具本体３の両端板１１の内側面に突き合わされることになる。支持枠１４を構成する一対のルーバエンド１３は、側板１２の長手方向の両端部に設けられることにより、ルーバ４における長手方向の両端面を構成している。各ルーバエンド１３には、図６に示すように、一方の側板１２の上端縁に連続する係止片１９の周囲にそれぞれ切欠２２が形成されており、この切欠２２を通してルーバ４の長手方向の両側方に前記係止片１９が露出する。
【００２３】
ここにおいて、器具本体３の長手方向の両端板１１における内側面には、器具本体３の内側に突出する突出片２３が切り起こしによりそれぞれ形成されている。各突出片２３は、ルーバエンド１３の切欠２２に対応する位置に形成されている。ここで、図７（ａ）に示すように器具本体３の開口部２から器具本体３内にルーバ４を挿入する際に、図６および図７（ｂ）に示すように突出片２３をルーバエンド１３の切欠２２を通して係止片１９に引掛けることによって、器具本体３にルーバ４を組み込んだ状態では突出片２３が係止片１９に係合する。
【００２４】
また、突出片２３を係止片１９に係合させるだけでは、一方の側板１２、つまりルーバ４における幅方向の一端部が器具本体３に保持されるだけであって、ルーバ４は器具本体３に安定して保持されることにはならないから、ルーバ４の幅方向の他端部についても器具本体３に保持させる構造が必要となる。そこで、本実施形態では、図６に示すように、ルーバ４の長手方向の両端面において、前記切欠２２とはルーバ４の幅方向に対称となる位置に長孔２４を形成してある。一方、器具本体３の端板１１において長孔２４に対応する各位置には端板１１に直交する一直線上で互いに近づく向きに突出する円柱状のピン２５が設けられ、このピン２５が長孔２４内に挿入されて係合することによりルーバ４の幅方向の他端部が器具本体３に保持されることとなる。ここでは、ピン２５は器具本体３の外側から端板１１を通して長孔２４内に挿入される。
【００２５】
長孔２４は、後述するランプ５交換時のルーバ４の移動を可能とするように、上下方向に延長された縦案内部２４ａと、縦案内部２４ａの下端縁から湾曲する形で前記切欠２２とは反対側の斜め上方に延出された横案内部２４ｂとでＵ字状に形成された案内部によって両端部が連結されている。縦案内部２４ａおよび横案内部２４ｂの幅寸法はピン２５の外径よりもやや大きく設定されており、そのため、長孔２４内でピン２５が移動できる範囲で器具本体３に対してルーバ４を移動させることができ、また、ピン２５を中心にルーバ４を回転させることによって器具本体３に対してルーバ４を回転させることができる。ピン２５は、図６に示すように突出片２３が係止片１９に係合した状態では、長孔２４における縦案内部２４ａの上端部（以下、固定位置という）に位置する。
【００２６】
上述したように、ルーバ４は突出片２３およびピン２５によって器具本体３に保持されており、突出片２３およびピン２５はいずれも器具本体３の端板１１から器具本体３の内側に突出するものであるから、器具本体３へのルーバ４の取付手段が器具本体３の外側に突出することはない。すなわち、器具本体３に対するルーバ４の取付位置をルーバ４と天井材８とが高さ方向に重なる位置まで下げても、器具本体３へのルーバ４の取付手段が天井材８に干渉することはない。
【００２７】
そこで、本実施形態では図６に示すようにルーバ４と天井材８とが高さ方向に重なる位置までルーバ４の取付位置を下げることによって、器具本体３内でルーバ４とランプ５とが高さ方向に重ならないようにしてある。これにより、ルーバ４はランプ５の下面を覆う位置で、ランプ５から側方に出た光を開口部２から出射させる隙間を器具本体１との間に確保する。したがって、ランプ５から側方に出た光はルーバ４の側方を通って開口部２から出射されることとなり、ルーバ４を設けたことで照明器具１からの光の取り出し効率が大幅に下がることはない。
【００２８】
なお、ルーバエンド１３の上面には図８に示すようにルーバ４の長手方向に沿って延長された挿入孔２６が形成されている。この挿入孔２６は、長手方向の中心と支持枠１４の内側寄りの端部との間に他の部位よりも幅寸法の大きい幅広部２６ａを有している。上述した長孔２４は、縦案内部２４ａの上端部がこの挿入孔２６に連通する形に形成されていてもよい。この場合には、挿入孔２６を通して長孔２４内にピン２５を挿入することができるので、器具本体３にルーバ４を組み込む前に予めピン２５を設けておいてもよい。ここで、挿入孔２６の幅広部２６ａの幅寸法に相当する外径のナット２５ａ（図１３参照）をピン２５の先端部に螺合させておいて、ナット２５ａが幅広部２６ａを通るように挿入孔２６から長孔２４内にピン２５を挿入した後、ナット２５ａをピン２５の基端部側に移動させることにより、ナット２５ａによって長孔２４からのピン２５の抜け止めを行うことができる。
【００２９】
ところで、ルーバ４はランプ５の下面を覆っているので、ランプ５交換時にはルーバ４が邪魔になる。しかし、ランプ５交換の度にルーバ４を外していると、ランプ５交換の作業性が悪くなる。そこで、本実施形態の照明器具１では、器具本体３からルーバ４を取り外すことなく、ランプ５交換の邪魔にならないようにルーバ４を移動させることができる構成を採用し、ランプ５交換の作業性をよくしている。以下に、ランプ５交換時のルーバ４の移動について図９を参照して説明する。
【００３０】
図９（ａ）に示すように、ルーバ４がランプ５の下面を覆う位置（以下、使用位置という）にある状態（図６に示した状態と同じ）から、長孔２４の固定位置にあるピン２５が長孔２４の縦案内部２４ａを下方に移動するようにルーバ４を押し上げると、図９（ｂ）に示すようにピン２５が縦案内部２４ａの下端部に達した状態で、係止片１９が突出片２３の上方にずれる。さらに、図９（ｃ）に示すようにピン２５が長孔２４の縦案内部２４ａの下端部から横案内部２６ｂに移動するようにルーバ４を幅方向に押すと、図９（ｄ）に示すように長孔２４における横縦案内部２４ｂの先端部（以下、回転位置という）にピン２５が配置された状態で、係止片１９が突出片２３の上方から退き、係止片１９と突出片２３との係合が解除される。
【００３１】
つまり、ピン２５が長孔２４における固定位置から回転位置に移動するように端板１１に沿う面内でルーバ４を平行移動させると、係止片１９と突出片２３との係合が解除され、ルーバ４はピン２５を中心として回動自在となる。この状態で、切欠２２を突出片２３から遠ざける向きにピン２５を中心としてルーバ４を回転させると、ルーバ４は、図９（ｅ）に示すように使用位置から略９０度回転した位置（以下、ランプ交換位置という）に移動し、ピン２５のみによって器具本体３に支持される。
【００３２】
このように、ルーバ４を使用位置からランプ交換位置に移動させると、ランプ５の下方が開放されることになるので、ルーバ４を取り外すことなくランプ５交換が可能となる。ランプ５交換後には、上述したルーバ４の移動を逆の手順で逆向きに行うことにより、ルーバ４が図６の使用位置に戻される。なお、図９（ｂ）、（ｃ）のようにルーバ４が使用位置から押し上げられた状態では、ランプ５の下端部がルーバ４の支持枠１４内に挿入されるものの、支持枠１４内にはルーバ本体１６におけるルーバ片１５の上方に空きスペースがあり（図４参照）、ルーバ４にランプ５が接触することはない。
【００３３】
なお、器具本体３に取り付けられるルーバ４は上述した実施形態のものに限らず、たとえば図１０に示すように連結片１７の形状を変更したルーバ４であってもよい。図１０に示す例では、連結片１７は強度を増すために下部が互いに近づく向きに屈曲され、その先端部から結合部１７ａが延出されている。この結合部１７ａは三角形状に形成されている。
【００３４】
また、支持枠１４におけるカバー部２０は、支持枠１４に組み合わせられたルーバ本体１６の連結片１７の下面を覆っていればよく、たとえば、図１１（ａ）のように側板１２の下端縁から支持枠１４の幅方向（図１１（ａ）の左右方向）に沿って延出された形状や、図１１（ｂ）、（ｃ）のように側板１２の下端縁から支持枠１４の幅方向に沿って延出され、且つ先端部が上方に延長された形状などであってもよい。図１１（ｂ）の例では上方に延長された部分にのみスリット２１が形成されており、図１１（ｃ）の例では上方に延長された部分から支持枠１４の幅方向に沿って延出された部分にかけてスリット２１が形成されている。
【００３５】
（実施形態２）
本実施形態の照明器具１は、器具本体３が天井材８と高さ方向に重なる位置にランプ５を保持し、ルーバ４を構成する支持枠１４内にランプ５の下部が配置される点が実施形態１の照明器具１とは相違する。
【００３６】
本実施形態では、ランプ５として高出力形の直管蛍光ランプを採用しており、高出力形でない直管蛍光ランプ（たとえば３２〜４５Ｗ）が誤装着されることのないように、高出力形でない直管蛍光ランプに比べて全長の短いランプ５（ここでは２０ｍｍ短い６４Ｗの高出力ランプ）を採用する。ここで、器具本体３に設けられた一対のソケット６間の距離はランプ５の全長に応じて設定されているので、本実施形態の照明器具１は、高出力形でない直管蛍光ランプを採用する照明器具１に比べると一対のソケット６間の距離が小さく設定される。
【００３７】
一方、照明器具１自身の寿命や故障などにより、既設の照明器具１を新しい照明器具１に交換する必要がある場合を考慮して、器具本体３の外形については、従来の（高出力形でない直管形ランプを採用した）照明器具１と同等のサイズに形成してある。これにより、既設の照明器具１を取り付けていた取付穴９を用いて新規の照明器具１を取り付けることができるので、天井材８に新たな加工をすることなく照明器具１の交換が可能となる。
【００３８】
ここにおいて、本実施形態の照明器具１では、器具本体３の外形が従来の照明器具１と同等であるのに対して、器具本体３の内側に設けられた一対のソケット６間の距離が従来の照明器具１に比べて小さくなっているので、図１２に示すように、器具本体３の長手方向において一対のソケット６の両側、つまり各ソケット６と端板１１との間に隙間Ｃが生じる。そこで、本実施形態ではこの隙間Ｃを利用してルーバ４を取付可能としている。
【００３９】
すなわち、器具本体３は、ソケット６と端板１１との間に、図１３に示すように器具本体３へのルーバ４の取付手段であるピン２５および突出片２３を有している。これにより、ルーバ４を器具本体３に取り付けた状態では、ランプ５の下部がルーバ４の支持枠１４内に挿入される。ただし、支持枠１４内にはルーバ本体１６におけるルーバ片１５の上方に空きスペースがあり（図４参照）、この空きスペース内にランプ５が収まるのでルーバ４にランプ５が接触することはない。なお、図１３の例では、ランプ５からの光を反射する反射板２７が器具本体３内においてランプ５の上面側を覆うように設けられている。
【００４０】
この構成によれば、本実施形態の照明器具１は、器具本体３の外形を既設の照明器具１と同等のサイズにしながらも、ソケット６と器具本体３の端板１１との間に生じた隙間Ｃを利用して、既設の照明器具１の器具本体３には取り付けることができなかったルーバ４が器具本体３に取付可能となる。
【００４１】
ところで、本実施形態では、器具本体３へのルーバ４の取付手段として、実施形態１で説明した取付手段と同様の構成を採用した例を示したが、この構成に限るものではなく、たとえば図１４や図１５に示す取付手段を採用してもよい。
【００４２】
図１４に示す例では、器具本体３の長手方向の両端板１１から器具本体３の内側に突出するねじ受片２８を設けており、当該ねじ受片２８をルーバ４の長手方向の各端面からルーバ４内に挿入し、ルーバ４の下面側からルーバ４を通してねじ受片２８に螺合する取付ねじ２９を締め付けることによって、ルーバ４が器具本体３に取り付けられる。
【００４３】
図１５に示す例では、ルーバ４の長手方向の各端部に取着した取付ばね３０を、器具本体３の長手方向の各端板１１に設けた環状のばね受片３１に下方から挿入することにより、ルーバ４が器具本体３に取り付けられる。取付ばね３０は、図１５（ｂ）に示すように下方に開口するＶ字状のトーションばね３０ａと、トーションばね３０ａの両端部から下方に延出され中央部同士を近づけるように屈曲された一対の保持片３０ｂとで菱形状に形成されており、両保持片３０ｂの先端部がルーバ４に保持される。ここで、ばね受片３１は取付ばね３０をトーションばね３０ａの両端部同士が近づくように変形させた状態で挿入可能となる寸法に形成されている。そして、取付ばね３０は、ばね受片３１に挿入された後、トーションばね３０ａのばね力によってトーションばね３０ａの両端部が開くことにより、保持片３０ｂがばね受片３１に引掛かって抜け止めされる。
【００４４】
その他の構成および機能は実施形態１と同様である。
【図面の簡単な説明】
【００４５】
【図１】本発明の実施形態１の要部の構成を示し、（ａ）は支持枠にルーバ本体を組み込む前の状態の斜視図、（ｂ）は支持枠にルーバ本体を組み込んだ状態の斜視図である。
【図２】同上の構成を示す斜視図である。
【図３】同上のルーバ本体を示し、（ａ）は上面図、（ｂ）は正面図、（ｃ）は側面図である。
【図４】同上のルーバを示す横断面図である。
【図５】同上のスリットの形状の例を示す平面図である。
【図６】同上の構成を示す横断面図である。
【図７】同上の構成を示し、（ａ）は器具本体にルーバを組む込む前の状態の縦断面図、（ｂ）は器具本体にルーバを組み込んだ状態の縦断面図である。
【図８】同上の支持枠を示し、（ａ）は上面図、（ｂ）は正面図である。
【図９】同上のランプ交換時のルーバの動作を説明する横断面図である。
【図１０】同上のルーバ本体の他の例の要部を示す斜視図である。
【図１１】同上のルーバの他の例を示す横断面図である。
【図１２】本発明の実施形態２の要部を示す縦断面図である。
【図１３】同上の要部を示し、（ａ）は縦断面図、（ｂ）は横断面図である。
【図１４】同上の他の例の要部を示す縦断面図である。
【図１５】同上のさらに他の例の要部を示し、（ａ）は縦断面図、（ｂ）は横断面図である。
【符号の説明】
【００４６】
１  照明器具
２  開口部
３  器具本体
４  ルーバ
５  ランプ
６  ソケット
１２  側板
１３  ルーバエンド
１４  支持枠
１５  ルーバ片
１６  ルーバ本体
１７  連結片
１７ａ  結合部
２０  カバー部
２１  スリット
【図１】
2008098109.tif 000003
【図２】
2008098109.tif 000004
【図３】
2008098109.tif 000005
【図４】
2008098109.tif 000006
【図５】
2008098109.tif 000007
【図６】
2008098109.tif 000008
【図７】
2008098109.tif 000009
【図８】
2008098109.tif 000010
【図９】
2008098109.tif 000011
【図１０】
2008098109.tif 000012
【図１１】
2008098109.tif 000013
【図１２】
2008098109.tif 000014
【図１３】
2008098109.tif 000015
【図１４】
2008098109.tif 000016
【図１５】
2008098109.tif 000017